(57)【要約】【課題】バッテリの残容量に応じて、番組情報（ＥＩＴ）の受信を制限することで、バッテリの消耗を抑えることができるデジタル放送受信装置を提供する。【解決手段】デジタル放送受信装置１０は、電力を供給するバッテリ２３と、チャンネル毎に番組情報を受信するチューナ部１２と、チューナ部１２で受信する番組情報に対して受信制限を設定する主制御部１７と、バッテリ２３の残量を検出する残量検出部２２とを備える。残量検出部２２によりバッテリ２３の残量が所定値以下になったことが検出された場合に、チューナ部１２は、主制御部１７により設定された受信制限に基づいて、番組情報の受信を制限する。【選択図】図１
2010109842.tif 000002
【特許請求の範囲】
【請求項１】
電力を供給するバッテリを備えたデジタル放送受信装置であって、
チャンネル毎に番組情報を受信する番組情報受信手段と、該番組情報受信手段で受信する番組情報に対して受信制限を設定する受信制限設定手段と、前記バッテリの残量を検出する残量検出手段とを備え、
前記残量検出手段により前記バッテリの残量が所定値以下になったことが検出された場合に、前記番組情報受信手段は、前記受信制限設定手段により設定された受信制限に基づいて、番組情報の受信を制限することを特徴とするデジタル放送受信装置。
【請求項２】
請求項１に記載のデジタル放送受信装置において、前記受信制限設定手段は、ユーザにより指定された地域のチャンネルリストまたは該地域で受信可能な複数のチャンネルから、不必要なチャンネルを除いた残りのチャンネルの番組情報を受信するように設定していることを特徴とするデジタル放送受信装置。
【請求項３】
請求項１に記載のデジタル放送受信装置において、該デジタル放送受信装置が受信したチャンネルの受信状態を示す指標に基づいて、該チャンネルの受信状態を判定する判定手段を備え、
前記受信制限設定手段は、前記判定手段により受信状態が一定レベル以上と判定されたチャンネルの番組情報のみを受信するように設定していることを特徴とするデジタル放送受信装置。
【請求項４】
請求項３に記載のデジタル放送受信装置において、前記受信状態を示す指標は、ＡＧＣ電圧，Ｃ／Ｎ値，ＢＥＲ値のいずれか１つ以上であることを特徴とするデジタル放送受信装置。
【請求項５】
請求項１に記載のデジタル放送受信装置において、前記受信制限設定手段は、各チャンネルについて、ユーザにより指定された時間帯に含まれる番組の番組情報のみを受信するように設定していることを特徴とするデジタル放送受信装置。
【請求項６】
請求項１〜５のいずれか１項に記載のデジタル放送受信装置において、前記番組情報受信手段により受信したチャンネル毎の番組情報に基づいて電子番組表を作成する電子番組表作成手段を備え、
前記残量検出手段により前記バッテリの残量が所定値以下になったことが検出された場合に、前記電子番組表作成手段は、前記電子番組表に対して、前記受信制限設定手段による受信制限に基づき受信された番組情報のみを書き換え、該番組情報以外の他の番組情報を削除することを特徴とするデジタル放送受信装置。
【発明の詳細な説明】
【技術分野】
【０００１】
本発明は、デジタル放送受信装置に関し、チャンネル毎に番組情報を受信する機能を備えたデジタル放送受信装置に関する。
【背景技術】
【０００２】
地上デジタル放送では、ＭＰＥＧ-２のＴＳ(Transport Stream)により映像や音声が送信されてくるが、この映像や音声の他に、視聴者へのサービスとして番組情報が提供されている。この番組情報はＰＳＩ／ＳＩ（Program Specific Information/Service Information）を構成するテーブルを一定の周期に従い、繰り返し番組とともに送信することで提供されている。
【０００３】
ＰＳＩは、ＭＰＥＧ２ Ｓｙｓｔｅｍｓ（ＩＳＯ／ＩＥＣ１３８１８−１，ＩＴＵ−Ｔ Ｈ．２２２．０）で規格化されており、所要の番組を選択するために必要な情報である。このＰＳＩは、ＰＡＴ（Program Association Table）、ＰＭＴ（Program Map Table）、ＮＩＴ（Network Information Table）、ＣＡＴ（Conditional Access Table）の４つのテーブルで構成される。この中でＮＩＴは、受信機で選択可能な全てのサービスの一覧と、各サービスがどのＴＳに含まれるのかを記述したテーブルである。また、ＰＡＴは、ＰＭＴを伝送するＴＳパケットのＰＩＤが記述されたテーブルであり、ＰＭＴは、番組を構成する各符号化ストリーム（ＥＳ：Elementary Stream）を伝送するＴＳパケットのＰＩＤが記述されたテーブルである。
【０００４】
一方、ＳＩは、ＡＲＩＢ ＳＴＤ−Ｂ１０で規定されており、番組選択の利便性のために規定された各種情報である。このＳＩは、例えば、ＴＳに含まれる全てのサービスの一覧を記述したＳＤＴ（Service Description Table）、イベント情報（番組毎に、開始時刻，番組長，番組名，出演者，ジャンルなどの付随情報を含む）を記述したＥＩＴ（Event Information Table）、全てのサービスを事業者グループ（ブロードキャスタ）単位でまとめて記述したＢＩＴ（Broadcaster Information Table）、受信機のソフトウェア更新のためのダウンロードスケジュールを記述したＳＤＴＴ（Software Download Trigger Table）などのテーブルで構成される。
【０００５】
地上デジタル放送における電子番組表は、上記ＥＩＴにより通知される番組情報に基づいて作成される。このＥＩＴによれば、視聴しているチャンネルの番組情報のみしか取得できないため、他のチャンネルの番組情報は視聴時以外に取得しなければならない。この際、通常１チャンネルにつき１週間分のＥＩＴを取得するためには１８０秒程度の時間がかかることが知られている。
【０００６】
図８は、一般的な固定受信機によるＥＩＴ取得手順の一例を説明するためのフロー図である。まず、固定受信機は、チャンネルリストを参照して、指定のチャンネルへの選局処理を行い（ステップＳ１）、選局したチャンネルのＰＡＴを受信して、ＰＭＴを伝送するＴＳパケットのＰＩＤ(Packet ID)を取得する（ステップＳ２）。
【０００７】
次に、固定受信機は、上記のＰＩＤに基づいて、ＰＭＴを受信して、番組を構成する各ＥＳを伝送するＴＳパケットのＰＩＤを取得し（ステップＳ３）、取得したＰＩＤに基づいて、番組を構成する各ＥＳのフィルタリングを開始する（ステップＳ４）。そして、固定受信機は、フィルタリングされたＥＳデータからＨ−ＥＩＴを全て取得（例えば、１週間分のＨ−ＥＩＴを取得）する（ステップＳ５）。
【０００８】
次に、固定受信機は、チャンネルリスト上の全てのチャンネルについてＨ−ＥＩＴのデータを受信したか否かを判定し（ステップＳ６）、全チャンネルのＨ−ＥＩＴデータを受信した場合（ＹＥＳの場合）、全Ｈ−ＥＩＴデータにより電子番組表を作成する（ステップＳ７）。また、ステップＳ６において、全チャンネルのＨ−ＥＩＴデータを受信していない場合（ＮＯの場合）、ステップＳ１に戻り処理を繰り返す。
【０００９】
図８で説明した従来の固定受信機の場合、前述したように、１チャンネルにつき１週間分のＨ−ＥＩＴを受信（取得）するのに、約１８０秒程度の時間を要していた。なお、Ｈ−ＥＩＴとは、固定受信機での表示を目的としたものである。
【００１０】
一方、最近の携帯電話機のように、ワンセグ放送を受信できる携帯端末が普及している。このような携帯端末はバッテリ駆動であるため、上記のようにＥＩＴの取得に１チャンネルにつき１８０秒も要していると、すぐにバッテリを消耗してしまうという問題があった。
【００１１】
これに対して、例えば、特許文献１には、電力供給状態に合わせてデジタル放送信号の番組情報の更新を行うデジタル放送受信機が記載されている。このデジタル放送受信機は、使用している電力が発電機または商用電源からの電力か、電池からの電力か、電力供給が切断または制限されている場合かを示す電力供給状況信号を出力する電力供給状況判断部を備え、この電力供給状況信号に基づいてデジタル放送信号の番組配列情報等の更新を行うようにしている。
【特許文献１】特開２００７−２６７４０６号公報
【発明の開示】
【発明が解決しようとする課題】
【００１２】
上記特許文献１に記載の発明は、車載受信機などに適用されるものであり、バッテリ以外からも電源を確保することができる。しかし、携帯電話機などのように持ち歩くことを前提とした携帯端末機器の場合、ほとんどバッテリでの使用と考えられる。このような場合、チャンネルリストに登録された全チャンネルにつき１週間分のＥＩＴを取得していると、多大な時間を要し、チューナ起動時間が長くなり、バッテリを消耗してしまうという問題があった。
【００１３】
上記に対して、ＥＩＴの受信を制限することで、チューナの起動時間を短くし、バッテリの消耗を抑えることが考えられる。例えば、ユーザは電子番組表にある全てのチャンネルの番組を視聴したいわけではないため、ユーザが視聴しないチャンネルのＥＩＴは必要ないものと考えられる。また、チャンネルリストに登録されたチャンネルが全て受信可能というわけではないため、受信できないチャンネルのＥＩＴは必要ないものと考えられる。また、ユーザによっては特定の時間帯の番組しか視聴しない場合があり、視聴しない時間帯の番組のＥＩＴは必要ないものと考えられる。
【００１４】
しかしながら、特許文献１に記載の発明をはじめとする従来技術には、このような技術思想、すなわち、ＥＩＴの受信を制限することで、チューナの起動時間を短くし、バッテリの消耗を抑えるという技術思想はなく、これまで実現されていなかった。
【００１５】
本発明は、上述のごとき実情に鑑みてなされたものであり、バッテリの残容量に応じて、番組情報（ＥＩＴ）の受信を制限することで、バッテリの消耗を抑えることができるデジタル放送受信装置を提供すること、を目的とする。
【課題を解決するための手段】
【００１６】
上記課題を解決するために、第１の技術手段は、電力を供給するバッテリを備えたデジタル放送受信装置であって、チャンネル毎に番組情報を受信する番組情報受信手段と、該番組情報受信手段で受信する番組情報に対して受信制限を設定する受信制限設定手段と、前記バッテリの残量を検出する残量検出手段とを備え、前記残量検出手段により前記バッテリの残量が所定値以下になったことが検出された場合に、前記番組情報受信手段は、前記受信制限設定手段により設定された受信制限に基づいて、番組情報の受信を制限することを特徴としたものである。
【００１７】
第２の技術手段は、第１の技術手段において、前記受信制限設定手段は、ユーザにより指定された地域のチャンネルリストまたは該地域で受信可能な複数のチャンネルから、不必要なチャンネルを除いた残りのチャンネルの番組情報を受信するように設定していることを特徴としたものである。
【００１８】
第３の技術手段は、第１の技術手段において、該デジタル放送受信装置が受信したチャンネルの受信状態を示す指標に基づいて、該チャンネルの受信状態を判定する判定手段を備え、前記受信制限設定手段は、前記判定手段により受信状態が一定レベル以上と判定されたチャンネルの番組情報のみを受信するように設定していることを特徴としたものである。
【００１９】
第４の技術手段は、第３の技術手段において、前記受信状態を示す指標は、ＡＧＣ電圧，Ｃ／Ｎ値，ＢＥＲ値のいずれか１つ以上であることを特徴としたものである。
【００２０】
第５の技術手段は、請求項１に記載のデジタル放送受信装置において、前記受信制限設定手段は、各チャンネルについて、ユーザにより指定された時間帯に含まれる番組の番組情報のみを受信するように設定していることを特徴としたものである。
【００２１】
第６の技術手段は、第１〜第５のいずれか１の技術手段において、前記番組情報受信手段により受信したチャンネル毎の番組情報に基づいて電子番組表を作成する電子番組表作成手段を備え、前記残量検出手段により前記バッテリの残量が所定値以下になったことが検出された場合に、前記電子番組表作成手段は、前記電子番組表に対して、前記受信制限設定手段による受信制限に基づき受信された番組情報のみを書き換え、該番組情報以外の他の番組情報を削除することを特徴としたものである。
【発明の効果】
【００２２】
本発明によれば、バッテリの残容量に応じて、番組情報（ＥＩＴ）の受信を制限することができるため、チューナの起動時間を短くし、バッテリの消耗を抑えることができる。
【発明を実施するための最良の形態】
【００２３】
以下、添付図面を参照しながら、本発明のデジタル放送受信装置に係る好適な実施の形態について説明する。なお、本発明は、バッテリ駆動可能なチューナ機器に適用され、例えば、チューナ機能を備えた携帯電話機や、ＰＤＡ(Personal Digital Assistant)、ノートＰＣ、携帯ゲーム機器などの携帯端末機器に適用することができる。
【００２４】
図１は、本発明の一実施形態に係るデジタル放送受信装置の構成例を示すブロック図である。図中、１０はデジタル放送受信装置で、該デジタル放送受信装置１０は、アンテナ１１、チューナ部１２、復調処理部１３、ＴＳＤＥＭＵＸ１４、映像デコード部１５、音声デコード部１６、主制御部１７、データ格納部１８、キー操作入力部１９、表示部２０、スピーカ２１、バッテリ２２、及び残量検出部２３を備える。
【００２５】
チューナ部１２は、ユーザ操作によって選局指示が行われたときに、また、視聴予約や録画予約の時間が到来したときに、アンテナ１１で受信したデジタル放送信号から１つの受信チャンネルを選局する。そして、復調処理部１３は、チューナ部１２で選局した受信チャンネルの信号を復調してＴＳ(Transport Stream)信号として出力する。
【００２６】
ＴＳＤＥＭＵＸ１４は、主制御部１７からの指示に従って、復調処理部１３から出力されたＴＳ信号を映像データ、音声データ、及び番組情報（ＰＳＩ／ＳＩ）に分離し、映像データを映像デコード部１５へ、音声データを音声デコード部１６へ、ＰＳＩ／ＳＩを主制御部１７へそれぞれ出力する。
【００２７】
映像デコード部１５は、ＴＳＤＥＭＵＸ１４で分離・出力された映像データを映像表示可能な映像信号にデコードし、デコードした映像信号を表示部２０に出力する。表示部２０は、例えば、ＬＣＤ（Liquid Crystal Display）などの表示ディスプレイである。
音声デコード部１６は、ＴＳＤＥＭＵＸ１４で分離・出力された音声データを音声出力可能な音声信号にデコードし、デコードした音声信号をスピーカ２１に出力する。
【００２８】
主制御部１７は、デジタル放送受信装置１０の各種機能を制御するためのＣＰＵやメモリなどで構成される。また、主制御部１７は、ＴＳＤＥＭＵＸ１４で分離・出力されたＰＳＩ／ＳＩに含まれるＥＩＴに基づいて電子番組表を生成する機能を備える。
データ格納部１８は、ＴＳＤＥＭＵＸ１３で分離・出力されたＰＳＩ／ＳＩや、ユーザにより設定された値などを格納するための記憶手段である。
キー操作入力部１９は、ユーザからの操作入力を受け付けるための操作キー群などで構成される。
【００２９】
本発明の主たる特徴部分は、バッテリの残容量に応じて、番組情報（ＥＩＴ）の受信を制限することで、バッテリの消耗を抑えることにある。このための構成として、デジタル放送受信装置１０は、チャンネル毎に番組情報（すなわち、ＰＳＩ／ＳＩに含まれるＥＩＴ）を受信する番組情報受信手段に相当するチューナ部１２と、チューナ部１２で受信するＥＩＴに対して受信制限を設定する受信制限設定手段に相当する主制御部１７と、電力を供給するバッテリ２３と、バッテリ２３の残量を検出する残量検出手段に相当する残量検出部２２とを備える。
【００３０】
残量検出部２２によりバッテリ２３の残量が所定値以下になったことが検出された場合に、チューナ部１２は、主制御部１７により設定された受信制限に基づいて、ＥＩＴの受信を制限する。なお、受信制限の方法としては、例えば、第１に、ユーザにより指定された地域のチャンネルリストまたはその地域で受信可能な複数のチャンネルから、不必要なチャンネルを除いた残りのチャンネルのＥＩＴを受信するように制限する（チャンネル制限）、第２に、受信可能なチャンネル（すなわち、受信レベルが一定以上のチャンネル）に含まれる番組のＥＩＴのみを受信するように制限する（受信レベル制限）、第３に、各チャンネルについてユーザが見たい時間帯の番組のＥＩＴのみを受信するように制限する（時間帯制限）、などが考えられる。
【００３１】
第１の受信制限方法を実行する場合、主制御部１７は、不必要なチャンネルを除いた残りのチャンネルのＥＩＴとして、例えばユーザにより指定されたチャンネルのＥＩＴのみを受信するように設定する。具体的には、主制御部１７は、キー操作入力部１９によりユーザが視聴したいチャンネル（例えば、４，６，８，１０ｃｈなど）の入力を受け付けて、このチャンネルの情報をデータ格納部１８に記憶する。そして、残量検出部２２によりバッテリ２３の残量が所定値以下になったことが検出された場合に、チューナ部１２は、データ格納部１８に記憶されたチャンネルのＥＩＴのみを受信するように制御される。
【００３２】
第２の受信制限方法を実行する場合、主制御部１７は、デジタル放送受信装置１０が受信したチャンネルの受信状態を示す指標に基づいて、チャンネルの受信状態を判定する判定手段として機能し、その判定手段により受信状態が一定レベル以上と判定されたチャンネルのＥＩＴのみを受信するように設定する。この受信状態を示す指標としては、例えば、ＡＧＣ電圧、Ｃ／Ｎ値、ＢＥＲ値などが考えられ、これらの指標による受信状態の判定方法について図２に基づき説明する。
【００３３】
図２は、本発明のデジタル放送受信装置が備えるチューナ部及び復調処理部の詳細構成例を示すブロック図である。なお、チューナ部１２、復調処理部１３は、それぞれチューナＩＣ（Integrated Circuit）、復調ＩＣとして構成することもできる。
【００３４】
チューナ部１２は、アンテナ１１から受信したデジタル放送信号を選局する。そのため、チューナ部１２は、例えば、プリアンプ１２１、ＲＦ（Radio Frequency）用の帯域通過フィルタ（Band-Pass Filter：ＢＰＦ）１２２、ＲＦ用の可変利得アンプ（Variable Gain Amplifier：ＶＧＡ）１２３、混合器（ミキサ）１２４、局部発振器（oscillator：ＯＳＣ）１２５、ＢＰＦ１２６、ＩＦ（Intermediate Frequency）用アンプ１２７、レベル検波回路１２８、及び電圧制御アンプ１２９で構成される。
【００３５】
プリアンプ１２１は、アンテナ１１で受信したデジタル放送信号を増幅し、ＢＰＦ１２２へ出力する。ＢＰＦ１２２は、このＲＦ信号に対し所定の周波数帯域のみを通過させ、ＶＧＡ１２３へ出力する。ＶＧＡ１２３は、この帯域通過したＲＦ信号の利得を可変増幅し、ミキサ１２４に出力する。ミキサ１２４は、ＶＧＡ１２３から出力されたＲＦ信号に対しＯＳＣ１２５から発振された周波数を混合し、ＲＦ信号をＩＦ信号に変換する。ＯＳＣ１２５は、ユーザ操作等のチャンネル選局に応じて主制御部１７から出力される選局制御信号を受信し、その選局制御信号に応じた周波数（選局チャンネルの周波数）にロックし、ロックした周波数を発振する。これにより、ミキサ１２４は、ＶＧＡ１２３から出力されたＲＦ信号を、選局制御信号に応じた周波数のＩＦ信号に変換できる。
【００３６】
ＢＰＦ１２６は、ＢＰＦ１２２より狭帯域を通過させるフィルタであり、ミキサ１２４から出力されたＩＦ信号を帯域通過させる。ＢＰＦ１２６で通過させる帯域はＯＳＣ１２５の発振周波数を中心として予め定められた範囲とし、これによりＢＰＦ１２６から出力されるＩＦ信号は選局制御信号に応じた周波数が含まれることになる。ＩＦ用アンプ１２７は、ＢＰＦ１２６から出力されたＩＦ信号を増幅し、復調処理部１３へ出力すると共に、レベル検波回路１２８へ出力する。レベル検波回路１２８は、ＩＦ用アンプ１２７で増幅後のＩＦ信号の信号レベルを検波し、電圧制御アンプ１２９に出力する。電圧制御アンプ１２９は、レベル検波回路１２８から出力された信号レベルに応じて電圧を制御し、その電圧をＶＧＡ１２３に供給する。ＶＧＡ１２３はこの電圧によりＲＦ信号の利得を増幅する。
【００３７】
復調処理部１３は、チューナ部１２で選局され出力されたデジタル放送信号に対し、復調処理を施す。そのため、復調処理部１３は、例えば、ＩＦ用の自動ゲイン制御（Automatic Gain Control：ＡＧＣ）回路、アナログ／デジタル変換器（Ａ／Ｄ）１３２、復調回路１３３、前方誤り訂正回路（Forward Error Correction：ＦＥＣ）１３４で構成される。なお、上記のＩＦ用のＡＧＣ回路は、ＩＦ用ＡＧＣ１３５とＩＦ用アンプ１３１とにより構成される。
【００３８】
ＩＦ用ＡＧＣ１３５は、ＩＦ用アンプ１３１に対して復調回路１３３での復調結果の利得をフィードバックさせる制御回路であり、チューナ部１２から受信するＩＦ信号の増幅率を復調結果の利得が一定になるように決定し、決定した増幅率をＩＦ用アンプ１３１に設定する。ＩＦ用アンプ１３１は、ＩＦ用ＡＧＣ１３５により設定された増幅率でＩＦ信号を増幅し、Ａ／Ｄ１３２へ出力する。Ａ／Ｄ１３２は、ＩＦ用アンプ１３１から出力されたＩＦ信号をデジタル信号に変換し、復調回路１３３に出力する。
【００３９】
復調回路１３３は、入力されたデジタル信号を、放送局での変調方式に応じた復調方式で復調する。例えば地上デジタル放送の場合には、基本的にＱＰＳＫ（Quadrature Phase Shift Keying）、１６ＱＡＭ（Quadrature Amplitude Modulation）、及び６４ＱＡＭの３種類の変調方式で搬送波（キャリア）が変調され、逆フーリエ変換を含むＯＦＤＭ（Orthogonal Frequency Division Multiplex）方式で変調され伝送されている。従って、復調回路１３３ではこれに対応したＯＦＤＭ復調処理が施される。また、復調回路１３３に入力されるデジタル信号は、受信電波の強弱があってもＩＦ用ＡＧＣ１３５及びＩＦ用アンプ１３１より一定に制御されている。ＦＥＣ１３４は、復調後のデジタル信号に対して前方誤り訂正を施し、訂正しきれないデジタル信号を除き、図示しない後段の回路（図１に示したＴＳＤＥＭＵＸ１４）へ出力する。
【００４０】
主制御部１７は、復調結果から、（I）自動利得制御の制御値（ＡＧＣ電圧）が所定値Ｔａを超えたこと、（II）ビット誤り率（Bit Error Rate：ＢＥＲ）が所定値Ｔｂを超えたこと、（III）ＦＥＣ１３４で誤り訂正時に推定したＣ／Ｎ（Carrier to Noise ratio）が所定値Ｔｃを下回ること、を検出したときに、受信状態が劣化したと判定する。なお、Ｃ／Ｎは、アンテナ１１で受信した電波のノイズに対する比である。
【００４１】
上記（I）の判定では、ＡＧＣ電圧に基づいて受信状態を判定する。このＡＧＣ電圧とは、電界強度の変動を防止するために、ＩＦ用ＡＧＣ１３５がＩＦ用アンプ１３１を制御する際の制御値であり、より具体的にはＩＦ用ＡＧＣ１３５がＩＦ用アンプ１３１に対して設定する増幅率を指す。従って、ＩＦ用ＡＧＣ１３５がその増幅率を、要求に応じて主制御部１７に出力するとよい。ＩＦ用ＡＧＣ１３５の増幅率からは、受信状態の劣化を検出できるとは限らないが、一般に、入力電界が高い強、中電界の場合は、ＩＦ用ＡＧＣ１３５の出力電圧（増幅率）が低く、入力電界が低い弱電界の場合は、ＩＦ用ＡＧＣ１３５の増幅率が高くなるため、この増幅率によって受信信号の電力の大きさ（すなわち、電界強度）を推定することが可能となる。
【００４２】
上記（II）の判定は、ＦＥＣ１３４が、ＢＥＲを示す信号を生成して、必要に応じて内部メモリに記憶しておき、自発的に又は要求に応答して主制御部１７へ出力するように構成しておけばよい。
【００４３】
また、上記（III）の判定は、ＦＥＣ１３４が、Ｃ／Ｎを推定し、その推定結果を必要に応じて内部メモリに記憶しておき、自発的に又は要求に応じて主制御部１７へ出力するように構成しておけばよい。Ｃ／Ｎは、例えば、復調回路１３３での復調処理時にフーリエ変換結果を複素平面の座標軸に逆マッピングしたとき、逆マッピングされた位置のずれから推定することができる。
【００４４】
上記において、残量検出部２２によりバッテリ２３の残量が所定値以下になったことが検出された場合に、チューナ部１２は、主制御部１７により受信状態が一定レベル以上と判定されたチャンネルのＥＩＴのみを受信するように制御される。この受信状態は、ＡＧＣ電圧，Ｃ／Ｎ値，ＢＥＲ値のいずれか１以上に基づいて判定することができる。
【００４５】
第３の受信制限方法を実行する場合、主制御部１７は、各チャンネルについて、ユーザにより指定された時間帯に含まれる番組のＥＩＴのみを受信するように設定する。具体的には、主制御部１７は、キー操作入力部１９によりユーザが視聴したい時間帯（例えば、２１時〜２４時など）の入力を受け付けて、この時間帯の情報をデータ格納部１８に記憶する。そして、残量検出部２２によりバッテリ２３の残量が所定値以下になったことが検出された場合に、チューナ部１２は、各チャンネルについて、データ格納部１８に記憶された時間帯に含まれる番組のＥＩＴのみを受信するように制御される。
【００４６】
以上に説明した第１〜第３の受信制限方法を実行することで、バッテリの残容量に応じて、番組情報（ＥＩＴ）の受信を制限することができるため、チューナの起動時間を短くし、バッテリの消耗を抑えることができる。
【００４７】
図３は、本発明のデジタル放送受信装置による番組情報取得方法の一例を説明するためのフロー図である。ここでは、図１に示したデジタル放送受信装置１０に対して前述の第１の受信制限方法を適用した場合を例に説明する。なお、本例の番組情報とはＥＩＴのことをいうものとする。
【００４８】
まず、前処理として、ユーザは、待機状態のデジタル放送受信装置１０に対して、一定の周期で自動的に番組情報を受信する番組情報受信モードを設定し（ステップＳ１１）、さらに、バッテリ容量が少なくなってきた場合に、ユーザにより指定されたチャンネル（本例では、４，６，８，１０チャンネル）の番組情報のみを受信するように設定する（ステップＳ１２）。
【００４９】
そして、デジタル放送受信装置１０は、番組情報の取得時間になったか否かを判定し（ステップＳ１３）、番組情報の取得時間になった場合（ＹＥＳの場合）、チューナ部１２を起動する（ステップＳ１４）。また、ステップＳ１３において、番組情報の取得時間にならない場合（ＮＯの場合）、ステップＳ１３で番組情報の取得時間まで待機する。
【００５０】
次に、デジタル放送受信装置１０は、バッテリ２３の残量が所定値を超えているか否かを判定し（ステップＳ１５）、バッテリ２３の残量が所定値を超えていると判定した場合（ＹＥＳの場合）、チャンネルリストに従ってチューナ部１２が選局を開始する（ステップＳ１６）。そして、ステップＳ１６で選局したチャンネルについて、例えば１週間分の番組情報を全て取得すると（ステップＳ１７）、チャンネルリストの全チャンネルについて番組情報を取得完了したか否かを判定する（ステップＳ１８）。ここで、チャンネルリストの全チャンネルについて番組情報を取得完了したと判定した場合（ＹＥＳの場合）、取得した番組情報に基づいて電子番組表を全て書き換え（ステップＳ１９）、ステップＳ１３に戻り、次の番組情報の取得時間まで待機状態に移行する。また、ステップＳ１８において、チャンネルリストの全チャンネルについて番組情報を取得完了していないと判定した場合（ＮＯの場合）、ステップＳ１６に戻り処理を繰り返す。
【００５１】
また、デジタル放送受信装置１０は、ステップＳ１５において、バッテリ２３の残量が所定値以下であると判定した場合（ＮＯの場合）、チューナ部１２が、ステップＳ１２において受信設定されたチャンネル（本例では４，６，８，１０チャンネル）のいずれかを選局する（ステップＳ２０）。そして、ステップＳ２０で選局したチャンネルについて、例えば１週間分の番組情報を全て取得すると（ステップＳ２１）、受信設定された全チャンネルについて番組情報を取得完了したか否かを判定する（ステップＳ２２）。ここで、受信設定された全チャンネルについて番組情報を取得完了したと判定した場合（ＹＥＳの場合）、電子番組表に対して、今回受信したチャンネル部分のみ書き換え、残りのチャンネル部分は削除し（ステップＳ２３）、ステップＳ１３に戻り、次の番組情報の取得時間まで待機状態に移行する。また、ステップＳ２２において、受信設定された全チャンネルについて番組情報を取得完了していないと判定した場合（ＮＯの場合）、ステップＳ２０に戻り処理を繰り返す。
【００５２】
図４は、本発明のデジタル放送受信装置による番組情報取得方法の他の例を説明するためのフロー図である。ここでは、図１に示したデジタル放送受信装置１０に対して前述の第２の受信制限方法を適用した場合を例に説明する。
【００５３】
まず、前処理として、ユーザは、待機状態のデジタル放送受信装置１０に対して、一定の周期で自動的に番組情報を受信する番組情報受信モードを設定し（ステップＳ３１）、さらに、バッテリ容量が少なくなってきた場合に、受信状態が一定レベル以上のチャンネルの番組情報のみを受信するように設定する（ステップＳ３２）。
【００５４】
そして、デジタル放送受信装置１０は、番組情報の取得時間になったか否かを判定し（ステップＳ３３）、番組情報の取得時間になった場合（ＹＥＳの場合）、チューナ部１２を起動する（ステップＳ３４）。また、ステップＳ３３において、番組情報の取得時間にならない場合（ＮＯの場合）、ステップＳ３３で番組情報の取得時間まで待機する。
【００５５】
次に、デジタル放送受信装置１０は、バッテリ２３の残量が所定値を超えているか否かを判定し（ステップＳ３５）、バッテリ２３の残量が所定値を超えていると判定した場合（ＹＥＳの場合）、チャンネルリストに従ってチューナ部１２が選局を開始する（ステップＳ３６）。そして、ステップＳ３６で選局したチャンネルについて、例えば１週間分の番組情報を全て取得すると（ステップＳ３７）、チャンネルリストの全チャンネルについて番組情報を取得完了したか否かを判定する（ステップＳ３８）。ここで、チャンネルリストの全チャンネルについて番組情報を取得完了したと判定した場合（ＹＥＳの場合）、取得した番組情報に基づいて電子番組表を全て書き換え（ステップＳ３９）、ステップＳ３３に戻り、次の番組情報の取得時間まで待機状態に移行する。また、ステップＳ３８において、チャンネルリストの全チャンネルについて番組情報を取得完了していないと判定した場合（ＮＯの場合）、ステップＳ３６に戻り処理を繰り返す。
【００５６】
また、デジタル放送受信装置１０は、ステップＳ３５において、バッテリ２３の残量が所定値以下であると判定した場合（ＮＯの場合）、チューナ部１２が、チャンネルリストに従ってチャンネルを選局する（ステップＳ４０）。そして、ステップＳ４０で選局したチャンネルについて、受信状態が一定レベル以上であるか否かを判定する（ステップＳ４１）。なお、受信状態は、前述の図２で説明したように、ＡＧＣ電圧，Ｃ／Ｎ値，ＢＥＲ値のいずれか１以上によって判定することができる。
【００５７】
そして、デジタル放送受信装置１０は、ステップＳ４１において、選局チャンネルの受信状態が一定レベル以上と判定した場合（ＹＥＳの場合）、その選局チャンネルについて、例えば１週間分の番組情報を全て取得する（ステップＳ４２）。また、ステップＳ４１において、選局チャンネルの受信状態が一定レベル未満と判定した場合（ＮＯの場合）、ステップＳ４０に戻り、チャンネルリストに基づき次のチャンネルの選局を行う。
【００５８】
次に、デジタル放送受信装置１０は、全てのチャンネルについて選局完了したか否かを判定する（ステップＳ４３）。ここで、全てのチャンネルについて選局完了したと判定した場合（ＹＥＳの場合）、電子番組表に対して、今回番組情報を受信したチャンネル部分のみ書き換え、残りのチャンネル部分は削除し（ステップＳ４４）、ステップＳ３３に戻り、次の番組情報の取得時間まで待機状態に移行する。また、ステップＳ４３において、全てのチャンネルについて選局完了していないと判定した場合（ＮＯの場合）、ステップＳ４０に戻り処理を繰り返す。
【００５９】
図５は、本発明のデジタル放送受信装置による番組情報取得方法の他の例を説明するためのフロー図である。ここでは、図１に示したデジタル放送受信装置１０に対して前述の第３の受信制限方法を適用した場合を例に説明する。
【００６０】
まず、前処理として、ユーザは、待機状態のデジタル放送受信装置１０に対して、一定の周期で自動的に番組情報を受信する番組情報受信モードを設定し（ステップＳ５１）、さらに、バッテリ容量が少なくなってきた場合に、各チャンネルについて、ユーザにより指定された時間帯（本例では、２１時〜２４時）に含まれる番組の番組情報のみを受信するように設定する（ステップＳ５２）。
【００６１】
そして、デジタル放送受信装置１０は、番組情報の取得時間になったか否かを判定し（ステップＳ５３）、番組情報の取得時間になった場合（ＹＥＳの場合）、チューナ部１２を起動する（ステップＳ５４）。また、ステップＳ５３において、番組情報の取得時間にならない場合（ＮＯの場合）、ステップＳ５３で番組情報の取得時間まで待機する。
【００６２】
次に、デジタル放送受信装置１０は、バッテリ２３の残量が所定値を超えているか否かを判定し（ステップＳ５５）、バッテリ２３の残量が所定値を超えていると判定した場合（ＹＥＳの場合）、チャンネルリストに従ってチューナ部１２が選局を開始する（ステップＳ５６）。そして、ステップＳ５６で選局したチャンネルについて、例えば１週間分の番組情報を全て取得すると（ステップＳ５７）、チャンネルリストの全チャンネルについて番組情報を取得完了したか否かを判定する（ステップＳ５８）。ここで、チャンネルリストの全チャンネルについて番組情報を取得完了したと判定した場合（ＹＥＳの場合）、取得した番組情報に基づいて電子番組表を全て書き換え（ステップＳ５９）、ステップＳ５３に戻り、次の番組情報の取得時間まで待機状態に移行する。また、ステップＳ５８において、チャンネルリストの全チャンネルについて番組情報を取得完了していないと判定した場合（ＮＯの場合）、ステップＳ５６に戻り処理を繰り返す。
【００６３】
また、デジタル放送受信装置１０は、ステップＳ５５において、バッテリ２３の残量が所定値以下であると判定した場合（ＮＯの場合）、チューナ部１２が、チャンネルリストに従ってチャンネルを選局する（ステップＳ６０）。そして、ステップＳ６０で選局したチャンネルについて、ステップＳ５２で受信設定された時間帯（本例では２１時〜２４時）に応じて、図６に示すテーブルのtable_idとsection_numberにより指定される番組の番組情報を例えば１週間分全て取得すると（ステップＳ６１）、チャンネルリストの全チャンネルについて、受信設定された時間帯に含まれる番組の番組情報を取得完了したか否かを判定する（ステップＳ６２）。ここで、チャンネルリストの全チャンネルについて、受信設定された時間帯に含まれる番組の番組情報を取得完了したと判定した場合（ＹＥＳの場合）、電子番組表に対して、今回番組情報を受信した時間帯のチャンネル部分のみ書き換え、残りのチャンネル部分は削除し（ステップＳ６３）、ステップＳ５３に戻り、次の番組情報の取得時間まで待機状態に移行する。また、ステップＳ６２において、チャンネルリストの全チャンネルについて、受信設定された時間帯に含まれる番組の番組情報を取得完了していないと判定した場合（ＮＯの場合）、ステップＳ６０に戻り処理を繰り返す。
【００６４】
なお、図６に示すテーブルは、ＥＩＴに含まれており、ＥＩＴ[schedule basic]のtable_idとsection_numberの割り当てを記述したものである。
【００６５】
図７は、本発明のデジタル放送受信装置により作成される電子番組表の一例を示す図である。デジタル放送受信装置１０の主制御部１７は、チューナ部１２により受信したチャンネル毎の番組情報に基づいて電子番組表を作成する電子番組表作成手段として機能する。この場合、残量検出部２２によりバッテリ２３の残量が所定値以下になったことが検出された場合に、主制御部１７は、電子番組表に対して、前述の第１〜第３の受信制限方法に基づき受信された番組情報のみを書き換え、番組情報以外の他の番組情報を削除することにより新しい番組情報のみを表示することになり、電子番組表の必要な情報を見やすくすることができる。
【００６６】
図７（Ａ）は、従来の電子番組表を部分的に示したもので、縦軸に時刻、横軸にチャンネルを示す。図７（Ａ）に示す電子番組表に対して、前述の第１の受信制限方法を適用した場合、ユーザにより指定されたチャンネルの番組情報のみが書き換えられ、それ以外のチャンネルの番組情報が削除される。図７（Ｂ）の例では、“ＮＫＫ総合”、“ＮＫＫ教育”以外のチャンネルが受信指定されているため、これらの“ＮＫＫ総合”、“ＮＫＫ教育”の番組情報が削除され、それ以外のチャンネルの番組情報が更新される。
【００６７】
また、図７（Ａ）に示す電子番組表に対して、前述の第２の受信制限方法を適用した場合、受信状態が一定レベル以上のチャンネルの番組情報のみが書き換えられ、それ以外のチャンネルの番組情報が削除される。図７（Ｂ）の例では、“ＮＫＫ総合”、“ＮＫＫ教育”は受信状態が一定レベル未満であったため、これらの“ＮＫＫ総合”、“ＮＫＫ教育”の番組情報が削除され、それ以外のチャンネルの番組情報が更新される。
【００６８】
また、図７（Ａ）に示す電子番組表に対して、前述の第３の受信制限方法を適用した場合、各チャンネルについて、ユーザに指定された時間帯に含まれる番組の番組情報のみが書き換えられ、この指定時間帯以外の時間帯に含まれる番組の番組情報が削除される。図７（Ｃ）の例では、各チャンネル（“ＮＫＫ総合”、“ＮＫＫ教育”、“日日テレビ”、“テレビ夕日”）について、ユーザにより時間帯として“１９時〜２１時”が指定されているため、この時間帯に含まれる番組の番組情報のみが更新され、それ以外の時間帯に含まれる番組の番組情報は削除される。
【図面の簡単な説明】
【００６９】
【図１】本発明の一実施形態に係るデジタル放送受信装置の構成例を示すブロック図である。
【図２】本発明のデジタル放送受信装置が備えるチューナ部及び復調処理部の詳細構成例を示すブロック図である。
【図３】本発明のデジタル放送受信装置による番組情報取得方法の一例を説明するためのフロー図である。
【図４】本発明のデジタル放送受信装置による番組情報取得方法の他の例を説明するためのフロー図である。
【図５】本発明のデジタル放送受信装置による番組情報取得方法の他の例を説明するためのフロー図である。
【図６】ＥＩＴ[schedule basic]のtable_idとsection_numberの割り当てを記述したテーブルを示す図である。
【図７】本発明のデジタル放送受信装置により作成される電子番組表の一例を示す図である。
【図８】一般的な固定受信機によるＥＩＴ取得手順の一例を説明するためのフロー図である。
【符号の説明】
【００７０】
１０…デジタル放送受信装置、１１…アンテナ、１２…チューナ部、１３…復調処理部、１４…ＴＳＤＥＭＵＸ、１５…映像デコード部、１６…音声デコード部、１７…主制御部、１８…データ格納部、１９…キー操作入力部、２０…表示部、２１…スピーカ、２２…残量検出部、２３…バッテリ、１２１…プリアンプ、１２２…ＢＰＦ、１２３…ＶＧＡ、１２４…ミキサ、１２５…ＯＳＣ、１２６…ＢＰＦ、１２７…ＩＦ用アンプ、１２８…レベル検波回路、１２９…電圧制御アンプ、１３１…ＩＦ用アンプ、１３２…Ａ／Ｄ、１３３…復調回路、１３４…ＦＥＣ、１３５…ＩＦ用ＡＧＣ。
【図１】
2010109842.tif 000003
【図２】
2010109842.tif 000004
【図３】
2010109842.tif 000005
【図４】
2010109842.tif 000006
【図５】
2010109842.tif 000007
【図６】
2010109842.tif 000008
【図７】
2010109842.tif 000009
【図８】
2010109842.tif 000010